(57)【要約】【課題】端子台本体に形成された取付孔に装着された単体端子を覆う嵌合部を有し、単体端子の短絡を防止する。【解決手段】端子台用絶縁カバー１０は、端子台本体１Ａに形成されたネジ穴３に埋没するように挿入され頭部４ａの上面が露出した端子ネジ４を覆うものであり、ネジ穴３に嵌合される柱状の嵌合部１２と、この嵌合部１２の基端側に一体的に形成されネジ穴３の開口端面９を覆う蓋体１１とを有している。【選択図】図４
2007227122.tif 000002
【特許請求の範囲】
【請求項１】
端子台本体に形成された取付孔に埋没するように挿入され頭部上面が露出した単体端子を覆う端子台用絶縁カバーにおいて、
前記取付孔に嵌合される柱状の嵌合部と、
該嵌合部の基端側に一体的に形成され前記取付孔の開口端面を覆う蓋体と、を有する、
ことを特徴とする端子台用絶縁カバー。
【発明の詳細な説明】
【技術分野】
【０００１】
本発明は、プロセス制御等に使用される各種機器と外部との配線接続に用いられる端子台の単体端子を絶縁する端子台用絶縁カバーに関する。
【背景技術】
【０００２】
近年、プロセス制御等に使用される各種機器と外部との配線接続に用いられる端子台を用いた電気機器又は電気設備が増えてきている。このような端子台では、露出した単体端子（端子ネジ）の頭部に他の金属部品が落下した場合等には、端子同士がショートするおそれがある。また、配線ケーブルが電源線であった場合には、その端子ネジに誤って接触すると感電する。更に、一般的に各端子ネジには番号等が付されていないので、配線時に誤って別端子に接続してしまうこともある。これらを防止する手段として、従来、例えば端子ネジを覆うように取り付けられた絶縁カバーが公知である（特許文献１参照）。
【０００３】
この特許文献１によれば、図１７及び図１８に示すように、絶縁カバー１０１は、端子台１００（図１８参照）の個々の端子ネジ１０６を覆うように取り付けられ、特定の幅、奥行き、高さに形成されている。この絶縁カバー１０１は、天井板１０２と底板１０３とを弾力性の前面板１０４で結合したコ字形をなしている。また、底板１０３の略中央には、個々の端子ネジ１０６を挿通するための挿通穴１０５を有している。
【０００４】
そして、カバー取付時には、前面板１０４をその弾性を利用して上方に湾曲させて天井板１０２を略垂直に立て、この状態で端子ネジ１０６を底板１０３の穴１０５を介して端子台１００のねじ穴にねじ込む。これにより、端子ネジ１０６は絶縁カバー１０１により覆われ、誤った接続等が防止されるというものである。
【特許文献１】特開平５−２２６０１１号公報（第２頁、図１）
【発明の開示】
【発明が解決しようとする課題】
【０００５】
しかしながら、特許文献１の絶縁カバーでは、例えば端子台本体に穿設された取付孔（ねじ穴）に端子ネジの頭部が埋没するように挿入され、その上面のみが露出しているような構造の端子台に取り付けることはできなかった。このような端子台は、小型化を主目的としたもので、端子ネジが外部に露出している特許文献１の端子台とは構造が全く異なるからである。このため、現状では、このような端子台の場合、例えば落下した部品等が埋没された端子ネジの上面に接触しないように、取付孔（ねじ穴）の上端部をテープ等で塞ぐことで対応していた。
【０００６】
しかしながら、テープ等を貼付するという手段では、容易に剥がれてしまうおそれがあり、耐久性の点で不安があった。更に、貼付されたテープ等により端子台の美的外観を損なうという課題もあった。
【０００７】
本発明は、斯かる課題を解決するためになされたもので、その目的とするところは、端子台本体に形成された取付孔に埋没するように挿入された単体端子の頭部上面を覆い、単体端子間の短絡等を防止することのできる端子台用絶縁カバーを提供することにある。
【課題を解決するための手段】
【０００８】
本発明は、端子台本体に形成された取付孔に埋没するように挿入され、頭部上面が露出した単体端子を覆う端子台用絶縁カバーに関するものであり、前述した取付孔に柱状の嵌合部を嵌合することで、落下部品等による単体端子間の短絡（ショート）や誤配線を防止することが可能となる。また、この嵌合部に一体的に形成され取付孔の開口端面を覆う蓋体を有することで、美的外観が確保されると共にメンテナンス時等に絶縁カバー本体の着脱が容易となり、作業性の向上が図られる。
【発明の効果】
【０００９】
本発明によれば、端子台本体に形成された取付孔に嵌合される柱状の嵌合部と、この嵌合部に一体的に形成され取付孔の開口端面を覆う蓋体とを有することで、美的外観を確保しつつ単体端子間の短絡等を防止することができる。
【発明を実施するための最良の形態】
【００１０】
以下、図面に基づき本発明の実施の形態を説明する。
図１は、プロセス制御等に用いられる各種電気機器と外部との配線接続に用いられるネジ端子台１の外観を示している。また、図２は、ネジ端子台１を単体で示した場合の外観図、図３は、その断面図である。
【００１１】
これらの図１〜図３において、ネジ端子台１は、各種電気機器と外部とをケーブル２を介して配線接続する場合に用いられる。このネジ端子台１は、絶縁性の成形樹脂からなる端子台本体１Ａに、上下方向（重力方向）に形成された多数のネジ穴（取付孔）３と、この多数のネジ穴３に挿入され、専用工具としてのマイナスドライバーによって操作される端子ネジ４（単体端子）と、この端子ネジ４に螺合され、該端子ネジ４の軸方向に移動自在で端子台本体１Ａに内蔵された導体部５と、を有している。
【００１２】
端子ネジ４は、略円柱状の頭部４ａと、該頭部４ａに形成された工具差込口４ｂと、ネジ部４ｃとを有し、工具差込口４ｂに専用工具が差し込まれて該端子ネジ４が回動操作される。ネジ穴３は、大径の座ぐり部３ａと、該座ぐり部３ａと底壁を介して連通する小径の軸穴部３ｂと、を有している。座ぐり部３ａは、端子ネジ４の頭部４ａが嵌挿されかつ頭部４ａの高さよりも深く形成されていて、この座ぐり部３ａにより端子ネジ４の頭部４ａは完全に埋没した状態に挿入されている。
【００１３】
このため、このネジ穴３に端子ネジ４が装着された状態では、端子台本体１Ａの表面から内側に所定量だけ凹んだ位置に、端子ネジ４の頭部４ａが位置することになる。このように、端子ネジ４の頭部４ａがネジ端子台１の表面から突出しないようにして、隣接する端子ネジ４同士の短絡等を防止している。なお、本実施形態のように、端子ネジ４としてマイナスネジを用いるのは、ネジ端子台１の小型化を考慮したものである。
【００１４】
そして、前述した座ぐり部３ａの底壁に、端子ネジ４の頭部４ａの下面が当接された状態で、該端子ネジ４が専用工具で回動操作されると、この端子ネジ４に螺合している導体部５が上方に移動する。この導体部５の上方移動に伴い、該導体部５と一体的に形成されかつケーブル挿入口６に露出している導電性の調整板７（図１、図２参照）が、上方に移動して、この調整板７とケーブル挿入口６との間でケーブル２の導線２ａが挟持される。これにより、ネジ端子台１（導体部５）を介して各種電気機器とケーブル２とが電気的に接続される。
【００１５】
以上において、端子ネジ４はネジ穴３に埋没するように挿入されてはいても、該端子ネジ４の頭部４ａの上面は露出しているため、例えば落下した金属部品等により複数の端子ネジ４間の短絡（ショート）を防止したり、誤配線を防止したりする必要がある。このため、本実施の形態では、絶縁性の合成樹脂からなる端子台用絶縁カバー１０（以下、「絶縁カバー１０」という）にてネジ穴３を覆うようにしたものである。但し、その材質は合成樹脂に限るものではなく、硬質ゴム等であっても良い。
（第１の実施の形態）
図４は、本実施の形態の絶縁カバー１０の外観を示す図であり、図５は、ねじ穴３に埋没するように挿入された端子ネジ４の上面を覆うように、絶縁カバー１０を取り付けた状態を示す図である。
【００１６】
図４及び図５において、この絶縁カバー１０は、ネジ穴３の座ぐり部３ａに嵌合される柱状の嵌合部１２と、この嵌合部１２の基端側（図では上方）に一体形成され、ネジ穴３の開口端面９（図２，図３参照）を覆う蓋体１１と、を有している。嵌合部１２は、本実施形態では略円柱状をなし、座ぐり部３ａに嵌合されたとき、該座ぐり部３ａから容易には抜け出ない程度の嵌め合い公差に形成されている。但し、絶縁カバー１０が合成樹脂からなる場合、その弾性作用を考慮すると、前述した嵌め合い公差は厳密なものでなくて良い。
【００１７】
なお、嵌合部１２の長さ（嵌合方向の長さ）は、特に規定するものではなく、例えば座ぐり部３ａの全体深さから端子ネジ４の頭部４ａの長さを差し引いた値と略同等であることが好ましい。蓋体１１は、ネジ穴３の開口端面９を覆うことで全体の美的外観を損なわないようにすると共に、例えばネジ穴３の開口端面９に当接してネジ穴３への嵌合部１２の嵌合量を規制する役目をなしている。
【００１８】
また、嵌合部１２の先端側（図では下方）には、端子ネジ４の工具差込口４ｂに嵌合する突起１３が一体的に形成されている。この突起１３は、本実施形態では略円柱状をなしていて（図５参照）、工具差込口４ｂの溝方向の略中央に嵌合されることで、工具差込口４ｂがいかなる方向を向いていても、差し込めるようになっている。この突起１３は、工具差込口４ｂに嵌合されたとき、該工具差込口４ｂから容易には抜け出ない程度の嵌め合い公差に形成されている。
【００１９】
但し、前述と同様に、絶縁カバー１０が合成樹脂からなる場合、その弾性作用を考慮すると、嵌め合い公差は厳密なものでなくて良い。なお、この突起１３の長さ（嵌合方向の長さ）は、特に規定するものではなく、端子ネジ４の工具差込口４ｂの深さと略同等であれば良い。また、ネジ穴３に端子ネジ４を挿入した状態では、ねじ穴３の側壁と端子ネジ４の頭部４ａの側面との間には、若干の隙間が形成されている（図５参照）。
【００２０】
本実施の形態のように、嵌合部１２と突起１３の双方を、夫々座ぐり部３ａと工具差込口４ｂに適度に嵌合することにより、絶縁カバー１０を取り付けた場合の保持力を一層高めることができる。なお、本実施形態では、嵌合部１２と突起１３の双方で保持力を得る場合について説明したが、これに限らず、例えばいずれか一方を緩く嵌合し、他方を適度な嵌め合い公差で嵌合するようにしても良い。
【００２１】
また、絶縁カバー１０は、蓋体１１に取手部１４が一体的に突出形成されている。この取手部１４は、絶縁カバー１０を座ぐり部３ａから着脱する際に便利なように設けられたものである。但し、この取手部１４は便宜上取り付けられるもので、常に必要なものではなく、従ってこれを省略することもできる。
【００２２】
本実施の形態によれば、絶縁カバー１０の嵌合部１２をねじ穴３に嵌合し、蓋体１１にてねじ穴３の開口端面９を覆うことで、上面が露出した端子ネジ４が覆われ端子ネジ４間の短絡等を防止したり、ねじ穴３へのゴミ等の侵入を防止することができる。更に、全体の美的外観を確保することができる。
（第２の実施の形態）
図６は、本実施の形態の絶縁カバー１０の外観を示す図であり、図７は、ねじ穴３に装着された端子ネジ４を覆うように絶縁カバー１０を取り付けた状態を示す図である。なお、前述した第１の実施の形態と同一又は相当する部材には同一の符号を付して説明する。
【００２３】
図６及び図７において、絶縁カバー１０は、第１の実施の形態と略同様に、ネジ穴３の座ぐり部３ａに嵌合される柱状の嵌合部１２と、該嵌合部１２の基端側（図では上方）に一体形成されネジ穴３の開口端面９を覆う蓋体１１とを有している。本実施形態では、嵌合部１２は断面略矩形状をなし、座ぐり部３ａに適度の嵌め合いをもって嵌合されている。このように、嵌合部１２を断面略矩形状とすることで、座ぐり部３ａとの嵌め合い公差を接触面積が少ない分、前述した実施の形態よりもきつい（かたい）嵌め合いにすることができる。この嵌合部１２には、前述と同様の蓋体１１が一体形成されている。
【００２４】
また、本実施の形態でも、嵌合部１２の先端側（図では下方）には、端子ネジ４の工具差込口４ｂに嵌合する突起１３が一体的に形成されている。この突起１３は、略円柱状をなし、端子ネジ４の工具差込口４ｂに、該工具差込口４ｂから容易には抜け出ない程度の嵌め合いとなるように形成されている。更に、蓋体１１には取手部１４が一体的に突出形成されている。また、ネジ穴３に端子ネジ４を挿入した状態では、ねじ穴３の側壁と端子ネジ４の頭部４ａの側面との間には、若干の隙間が形成されている（図７参照）。
【００２５】
なお、本実施形態では、前述と同様に、絶縁カバー１０を嵌合部１２と突起１３の双方で適度に嵌合させる場合について説明したが、これに限らず、例えばいずれか一方を緩く嵌合し、他方を適度な嵌め合い公差で嵌合するようにしても良い。
【００２６】
本実施の形態によれば、第１の実施の形態と同様に、絶縁カバー１０の嵌合部１２をねじ穴３に嵌合することで、上面が露出した端子ネジ４を覆って端子ネジ４間の短絡等を防止したり、ねじ穴３へのゴミ等の侵入を防止したり、全体の美的外観を確保したりすることができる。
（第３の実施の形態）
図８は、本実施の形態の絶縁カバー１０の外観を示す図であり、図９は、この絶縁カバー１０を、ネジ端子台１に取り付けた状態の断面側面図を示している。なお、前述した第１の実施の形態と同一又は相当する部材には同一の符号を付して説明する。
【００２７】
この絶縁カバー１０は、第１の実施の形態の図４と略同様に、座ぐり部３ａに嵌合される略円柱状の嵌合部１２と、蓋体１１と、工具差込口４ｂに嵌合する略円柱状の突起１３とが一体的に形成されている。また、蓋体１１には取手部１４が一体的に形成されている。
【００２８】
本実施の形態では、蓋体１１から鉤状に屈曲（角度θ）されたアーム部２０が側方に延設され、該アーム部２０の先端にフック状の掛止部２１が形成されている。このアーム部２０は弾性体にて構成されている。なお、図８は、絶縁カバー１０の断面側面図を示しており、これらアーム部２０と掛止部２１の平面視形状は図示していないが、一般的に想定される形状のものと考えて良い。
【００２９】
本実施の形態によると、絶縁カバー１０をネジ端子台１に装着する際、側面視鉤状に屈曲されたアーム部２０が略直角（角度θ≒９０°）に拡開され、先端の掛止部２１が、端子台本体１Ａのエッジ部８に弾性力で掛止される。このため、一旦ネジ端子台１に取り付けられた絶縁カバー１０は、掛止部２１の引っ掛け力により、ネジ端子台１から容易には外れることがない。
（第４の実施の形態）
図１０は、本実施の形態の絶縁カバー１０の断面側面図であり、図１１は、この絶縁カバー１０をネジ端子台１に取り付けた状態の断面側面図である。なお、前述した第１の実施の形態と同一又は相当する部材には同一の符号を付して説明する。
【００３０】
図１０に示すように、絶縁カバー１０は、座ぐり部３ａに嵌合される略円柱状の嵌合部１２と、この嵌合部１２に一体形成された蓋体１１と、この蓋体１１に一体形成された取手部１４と、端子ネジ４の工具差込口４ｂに嵌合する略円柱状の突起１３とを有している。
【００３１】
また、本実施の形態では、ネジ端子台１に接続されるケーブル２（図１〜図３参照）の被覆部を保持可能に、一端が開口したリング状のケーブル保持部１５と、該ケーブル保持部１５と蓋体１１とを連結する可撓性に富んだ細長い帯状部１６と、を有している。これらケーブル保持部１５と帯状部１６、及び蓋体１１等は、成形手段により一体的に成形されている。このケーブル保持部１５は、そのリング状の開口部を拡開することにより、所定の弾性力でケーブル２を挟持する。
【００３２】
この絶縁カバー１０をネジ端子台１に取り付けるには、図１１に示すように、絶縁カバー１０の嵌合部１２と突起１３を、ネジ端子台１のネジ穴３の座ぐり部３ａと工具差込口４ｂに嵌合し、かつケーブル２の被覆部にリング状のケーブル保持部１５を掛け止める。この場合、リング状のケーブル保持部１５は、ケーブル２の被覆部を弾性力で挟持するので、絶縁カバー１０をネジ穴３から抜き出したとしても、容易には外れることはない。これにより、メンテナンス時等に絶縁カバー１０が紛失するのを防止することができる。
（第５の実施の形態）
図１２は、本実施の形態の絶縁カバー１０をネジ端子台１に取り付けた状態の断面側面図である。なお、前述した第１の実施の形態と同一又は相当する部材には同一の符号を付して説明する。
【００３３】
本実施の形態の絶縁カバー１０は、ケーブル２の被覆部を保持するケーブル保持部１５の長さLを、ケーブル２の軸方向に長く形成したものである。なお、この場合も、ケーブル保持部１５は弾性力によりケーブル２の被覆部をしっかりと挟持している。
【００３４】
これにより、例えばケーブル２の端末処理時に銅線部の露出部分を長く加工してしまったような場合、その余剰銅線部をケーブル保持部１５にて覆って絶縁保護することができる。このようにして、ケーブル２の露出部分の絶縁性の向上を図ることができる。
（第６の実施の形態）
図１３は、本実施の形態の絶縁カバー１０をネジ端子台１に取り付けた状態の断面側面図である。なお、前述した第１の実施の形態と同一又は相当する部材には同一の符号を付して説明する。
【００３５】
本実施の形態の絶縁カバー１０は、ケーブル保持部１５と蓋体１１とを接続する帯状部１６の長さを余裕をもって長く形成したものである。このように、帯状部１６を余裕をもって形成したことにより、ネジ端子台１の型式や大きさに左右されることなく、あらゆるネジ端子台１に絶縁カバー１０を使用することができる。こうして、汎用性に富む絶縁カバー１０を提供することができる。
（第７の実施の形態）
図１４は、本実施の形態の絶縁カバー１０の外観を示す図である。なお、前述した第１の実施の形態と同一又は相当する部材には同一の符号を付して説明する。
【００３６】
この絶縁カバー１０は、ネジ穴３の座ぐり部３ａに嵌合される嵌合部１２と、この嵌合部１２に一体形成された矩形板状の蓋体１１とを有している。この嵌合部１２は、座ぐり部３ａに適度の嵌め合いとなるように形成されている。なお、この図１４では、説明の便宜上、蓋体１１と嵌合部１２等は肉厚を省略して記載している。
【００３７】
また、本実施の形態では、前記と同様に、ネジ端子台１に接続されるケーブル２（図１〜図３参照）の被覆部を保持可能に、一端が開口したリング状のケーブル保持部１５と、該ケーブル保持部１５と蓋体１１とを連結する細長い帯状部１６とを有している。これらケーブル保持部１５と帯状部１６とは、成形手段により蓋体１１等と一体的に成形されるものである。このケーブル保持部１５は、そのリング状の開口部を拡開することにより、所定の弾性力でケーブル２を挟持するようになっている。
【００３８】
更に、本実施の形態では、複数の絶縁カバー１０が略横一列に整列配置され、これら複数の絶縁カバー１０の蓋体１１が接続部１７にて接離自在に接続されている。従って、この接続部１７を切り離すように手で力を加えれば、個々の単体の絶縁カバー１０に分割することができる。これにより、使用する端子ネジ４の個数に合わせて、個々の絶縁カバー１０に分割することができる。
【００３９】
また、本実施の形態では、個々の蓋体１１の表面に赤色等の警告色を施した警告表示部１８を設けている。
この警告表示部１８により、作業者は、当該表示が付された端子が電源線等の重要端子であることを視覚的に認識することができる。これにより、作業者にとっては、この重要端子が他の端子等とショートしたり、感電等することのないように注意して作業をすることになる。
【００４０】
図１５は、本実施の形態の変形例の絶縁カバー１０を示す図であり、図１６は、この絶縁カバー１０をネジ端子台１に取り付けた状態の断面側面図である。なお、この図１５及び図１６では、説明の便宜上、蓋体１１と嵌合部１２等は肉厚を省略して記載している。
【００４１】
この変形例では、前述した図１０の実施の形態とその構成が略同一であるが、個々の蓋体１１の表面に番号を付した番号表示部１９を設けた点が相違している。
一般的に、この種、ネジ端子台１には、個々の端子ネジ４ごとに番号が付されていないのが実情である。しかも、１つのネジ端子台１には、多数の端子ネジ４が整列状に配置されている。このため、作業者にとっては、どの端子ネジ４にケーブル２を接続すべきかを迷ったり、或いは誤ってしまうおそれがある。
【００４２】
これに対し、本変形例のように、個々の蓋体１１に番号表示部１９を設けておけば、そのような誤った接続を防止することができる。この点は、ケーブル２の交換作業時等に特に効果的である。
【００４３】
本変形例では、絶縁カバー１０の嵌合部１２をネジ端子台１のネジ穴３の座ぐり部３ａに嵌合し、更にケーブル保持部１５にてケーブル２の被覆部を弾性力で挟持している。
ここで、例えば図の５本のケーブル２のうち、内側の３本が電源線でかつ外側の２本が信号線の場合は、特に３本が電源線の端子ネジ４の上方を覆う必要が生じる。電源線がショート等すると、被害が大きくなるからである。よって、このような場合は、３本の電源線の端子ネジ４を絶縁カバー１０で覆うことにより、作業者は、これら３個の端子ネジ４が重要な端子であることを認識することができる。
【００４４】
（付記１）
端子台本体に形成された取付孔に埋没するように挿入され頭部上面が露出した単体端子を覆う端子台用絶縁カバーにおいて、
前記取付孔に嵌合される柱状の嵌合部と、
該嵌合部の基端側に一体的に形成され前記取付孔の開口端面を覆う蓋体と、を有する、
ことを特徴とする端子台用絶縁カバー。
（付記２）
前記嵌合部の先端側に一体的に形成され前記単体端子に形成された工具差込口に嵌合する突起を有する、
ことを特徴とする付記１に記載の端子台用絶縁カバー。
（付記３）
前記蓋体に一体的に形成された取手部を有する、
ことを特徴とする付記１又は２に記載の端子台用絶縁カバー。
（付記４）
前記蓋体から延設され前記端子台本体のエッジ部に弾性力にて掛止される掛止部を有する、
ことを特徴とする付記１〜３のいずれかに記載の端子台用絶縁カバー。
（付記５）
前記蓋体から延設され前記端子台本体に接続されるケーブルを弾性力で挟持するケーブル保持部を有する、
ことを特徴とする付記１〜３のいずれかに記載の端子台用絶縁カバー。
（付記６）
前記蓋体に警告表示部を設けた、
ことを特徴とする付記１〜５のいずれかに記載の端子台用絶縁カバー。
（付記７）
前記蓋体に識別表示部を設けた、
ことを特徴とする付記１〜６のいずれかに記載の端子台用絶縁カバー。
（付記８）
付記１〜７のいずれかに記載の端子台用絶縁カバーを整列状に複数配置し、これら複数の端子台用絶縁カバーを接離自在に接続する接続部を有する、
ことを特徴とする端子台用絶縁カバー。
【図面の簡単な説明】
【００４５】
【図１】本発明が適用されたネジ端子台の外観を示す図である。
【図２】ネジ端子台を単体で示した場合の外観図である。
【図３】同上の断面図である。
【図４】端子台用絶縁カバーの実施の形態の外観図である。
【図５】同上の絶縁カバーをネジ端子台に取付けた状態の上面図である。
【図６】端子台用絶縁カバーの実施の形態の外観図である。
【図７】同上の絶縁カバーをネジ端子台に取付けた状態の上面図である。
【図８】端子台用絶縁カバーの実施の形態の断面側面図である。
【図９】同上の絶縁カバーをネジ端子台に取付けた状態の断面側面図である。
【図１０】端子台用絶縁カバーの実施の形態の断面側面図である。
【図１１】同上の絶縁カバーをネジ端子台に取付けた状態の断面側面図である。
【図１２】端子台用絶縁カバーをネジ端子台に取付けた状態の断面側面図である。
【図１３】端子台用絶縁カバーをネジ端子台に取付けた状態の断面側面図である。
【図１４】端子台用絶縁カバーの実施の形態の外観図である。
【図１５】同上の変形例の端子台用絶縁カバーの外観図である。
【図１６】同上の端子台用絶縁カバーをネジ端子台に取付けた状態の外観図である。
【図１７】端子台用絶縁カバーの従来例の外観を示す図である。
【図１８】同上の絶縁カバーをネジ端子台に取付けた状態の外観図である。
【符号の説明】
【００４６】
１      ネジ端子台
１Ａ      端子台本体
２      ケーブル
３      ネジ穴
３ａ      座ぐり部
３ｂ      軸穴部
４      端子ネジ
４ａ      頭部
４ｂ      工具差込み口
４ｃ      ネジ部
５      導体部
６      ケーブル挿入口
７      調整板
８      エッジ部
９      開口端面
１０      端子台用絶縁カバー
１１      蓋体
１２      嵌合部
１３      突起
１４      取手部
１５      ケーブル保持部
１６      帯状部
１７      接続部
１８      警報表示部
１９      番号表示部
２０      アーム部
２１      掛止部
【図２】
2007227122.tif 000003
【図４】
2007227122.tif 000004
【図５】
2007227122.tif 000005
【図６】
2007227122.tif 000006
【図７】
2007227122.tif 000007
【図８】
2007227122.tif 000008
【図１０】
2007227122.tif 000009
【図１４】
2007227122.tif 000010
【図１５】
2007227122.tif 000011
【図１６】
2007227122.tif 000012
【図１７】
2007227122.tif 000013
【図１】
2007227122.tif 000014
【図３】
2007227122.tif 000015
【図９】
2007227122.tif 000016
【図１１】
2007227122.tif 000017
【図１２】
2007227122.tif 000018
【図１３】
2007227122.tif 000019
【図１８】
2007227122.tif 000020